(57)【特許請求の範囲】
【請求項１】
画像を表示する表示部と、
前記表示部に近接した指示媒体を検知するセンサ部と、
前記センサ部で検知された指示媒体が、前記表示部上の所定位置において、所定時間以上、前記表示部から所定距離内において離間した近接状態であるか否かを判定し、前記近接状態であると判定した場合、当該所定位置をズーム表示の基準位置として決定する基準位置決定部と、
前記基準位置の決定時に、倍率調整用インターフェースを前記表示部に表示する表示処理部と、
を備える表示装置。
【請求項２】
請求項１に記載の表示装置であって、
前記表示処理部は、前記指示媒体と前記倍率調整用インターフェースとの距離に応じて、前記倍率調整用インターフェースの表示態様を変更する、表示装置。
【請求項３】
請求項１に記載の表示装置であって、
前記基準位置の決定時に、前記基準位置を含んで前記表示部に対して平行方向に定められる所定の範囲内を規定領域として決定する規定領域決定部をさらに備え、
前記指示媒体が近接状態を維持したまま前記規定領域外に移動した場合、前記倍率調整用インターフェースの操作を不能にする、表示装置。
【請求項４】
請求項３に記載の表示装置であって、
前記指示媒体が前記規定領域外に移動した後所定時間経過後、前記倍率調整用インターフェースの操作を不能にする、表示装置。
【請求項５】
請求項１に記載の表示装置であって、
前記指示媒体が前記倍率調整用インターフェースの操作をした後、前記倍率調整用インターフェースから外れた場合、前記倍率調整用インターフェースの操作を不能にする、表示装置。
【請求項６】
請求項５に記載の表示装置であって、
前記指示媒体よる前記倍率調整用インターフェースの操作は、所定の範囲を超えない操作である、表示装置。
【請求項７】
請求項１から６のいずれか１項に記載の表示装置であって、
前記指示媒体により前記倍率調整用インターフェースを操作した直後においては倍率の変化量を小さいものとし、操作の継続に応じて倍率の変化量を増加させる、表示装置。
【請求項８】
請求項７に記載の表示装置であって、
前記指示媒体により、前記倍率調整用インターフェースを操作した方向と反対の方向に前記倍率調整用インターフェースを操作した場合には、倍率の変化量を一定とする、表示装置。
【請求項９】
画像を表示する表示部と、
前記表示部に近接した指示媒体を検知するセンサ部と、
前記センサ部で検知された指示媒体が、前記表示部上の所定位置において、所定時間以上、前記表示部から所定距離内において離間した近接状態であるか否かを判定し、前記近接状態であると判定した場合、当該所定位置を前記表示部に対する特定操作の基準位置として決定する基準位置決定部と、
前記基準位置の決定時に、前記特定操作に係る所定のインターフェースを前記表示部に表示する表示処理部と、
前記基準位置の決定時に、前記基準位置を含んで前記表示部に対して平行方向に定められる所定の範囲内を規定領域として決定する規定領域決定部と、を備え、
前記指示媒体が前記規定領域外に移動した場合、前記所定のインターフェースの操作を不能にする、表示装置。
【請求項１０】
請求項９に記載の表示装置であって、
前記指示媒体が前記規定領域外に移動した後所定時間経過後、前記所定のインターフェースの操作を不能にする、表示装置。
【請求項１１】
請求項１から１０のいずれか１項に記載の表示装置を備える携帯端末装置。
【請求項１２】
表示部に画像を表示するステップと、
前記表示部に近接した指示媒体をセンサ部で検知するステップと、
前記センサ部で検知された指示媒体が、前記表示部上の所定位置において、所定時間以上、前記表示部から所定距離内において離間した近接状態であるか否かを判定し、前記近接状態であると判定した場合、当該所定位置をズーム表示の基準位置として決定するステップと、
前記基準位置の決定時に、倍率調整用インターフェースを前記表示部に表示するステップと、
を備える表示方法。
【請求項１３】
表示部に画像を表示する工程と、
前記表示部に近接した指示媒体をセンサ部で検知する工程と、
前記センサ部で検知された指示媒体が、前記表示部上の所定位置において、所定時間以上、前記表示部から所定距離内において離間した近接状態であるか否かを判定し、前記近接状態であると判定した場合、当該所定位置をズーム表示の基準位置として決定する工程と、
前記基準位置の決定時に、倍率調整用インターフェースを前記表示部に表示する工程と、
をコンピュータに実行させる表示プログラム。
【請求項１４】
表示部に画像を表示するステップと、
前記表示部に近接した指示媒体をセンサ部で検知するステップと、
前記センサ部で検知された指示媒体が、前記表示部上の所定位置において、所定時間以上、前記表示部から所定距離内において離間した近接状態であるか否かを判定し、前記近接状態であると判定した場合、当該所定位置を前記表示部に対する特定操作の基準位置として決定するステップと、
前記基準位置の決定時に、前記特定操作に係る所定のインターフェースを前記表示部に表示するステップと、
前記基準位置の決定時に、前記基準位置を含んで前記表示部に対して平行方向に定められる所定の範囲内を規定領域として決定するステップと、を備え、
前記指示媒体が前記規定領域外に移動した場合、前記所定のインターフェースの操作を不能にするステップと、
を備える表示方法。
【請求項１５】
表示部に画像を表示する工程と、
前記表示部に近接した指示媒体をセンサ部で検知する工程と、
前記センサ部で検知された指示媒体が、前記表示部上の所定位置において、所定時間以上、前記表示部から所定距離内において離間した近接状態であるか否かを判定し、前記近接状態であると判定した場合、当該所定位置を前記表示部に対する特定操作の基準位置として決定する工程と、
前記基準位置の決定時に、前記特定操作に係る所定のインターフェースを前記表示部に表示する工程と、
前記基準位置の決定時に、前記基準位置を含んで前記表示部に対して平行方向に定められる所定の範囲内を規定領域として決定する工程と、を備え、
前記指示媒体が前記規定領域外に移動した場合、前記所定のインターフェースの操作を不能にする工程と、
をコンピュータに実行させる表示プログラム。
【発明の詳細な説明】
【技術分野】
【０００１】
本発明は、表示部に近接して操作できる表示装置、表示方法、及び表示プログラムに関する。
【背景技術】
【０００２】
スマートフォン等の表示部上でユーザーインターフェース（ＵＩ：User Interface）を利用して操作する端末機が普及し、ユーザーは、表示部に表示された各種情報（プラウザも含む）を指やペン装置（スタイラス）等を用いて操作することができる。表示された情報を拡大、縮小するズーム操作として、ズームボタンをタップする、ピンチイン・ピンチアウト、ダブルタップ、等があるが、ズーム（倍率）調整やズーム位置特定等の操作性に関して、必ずしも満足できる表示装置は提供されていない。
【０００３】
ズームボタンのタップについては、片手で倍率調整は可能であるがズーム位置を指定することは難しい。ピンチイン・ピンチアウトについては、倍率調整とズーム位置の指定は可能であるが、片手では困難である。ダブルタップについては、片手で指定位置のズームは可能であるが、倍率調整は困難である。
【０００４】
また、特許文献１では、指等の近接や接触を検知するタッチパネルを用いて、近接点位置を中心に所定範囲を拡大表示して、他の入力操作が可能な画面を表示している。そして、拡大表示した領域の近傍に、この領域内の情報に関連する付加情報を表示することで、どの部分が拡大されているのか、また拡大表示された情報の性格は何かを知見することが可能であることが開示されている。
【先行技術文献】
【特許文献】
【０００５】
【特許文献１】特開２００８−２８７３２３号公報
【発明の概要】
【発明が解決しようとする課題】
【０００６】
しかしながら、特許文献１では、指等が近接したことを検知して、拡大操作を可能としているが、拡大位置の特定や拡大した領域を選択した時の基準点等の制御ができないという課題がある。
【０００７】
本発明は、上記事由に鑑みてなされたものであり、その目的は、倍率調整用インターフェース等のインターフェース表示を活用して近接操作及び接触操作の操作性を向上させる表示装置、表示方法、及び表示プログラムを提供することにある。
【課題を解決するための手段】
【０００８】
本発明の表示装置は、画像を表示する表示部と、前記表示部に近接した指示媒体を検知するセンサ部と、前記センサ部で検知された指示媒体が、前記表示部上の所定位置において、所定時間以上、前記表示部から所定距離内において離間した近接状態であるか否かを判定し、前記近接状態であると判定した場合、当該所定位置をズーム表示の基準位置として決定する基準位置決定部と、前記基準位置の決定時に、倍率調整用インターフェースを前記表示部に表示する表示処理部と、を備える。
【０００９】
前記表示装置であって、前記表示処理部は、前記指示媒体と前記倍率調整用インターフェースとの距離に応じて、前記倍率調整用インターフェースの表示態様を変更することが好ましい。
【００１０】
前記表示装置であって、前記基準位置の決定時に、前記基準位置を含んで前記表示部に対して平行方向に定められる所定の範囲内を規定領域として決定する規定領域決定部をさらに備え、前記指示媒体が前記規定領域外に移動した場合、前記倍率調整用インターフェースの操作を不能にすることが好ましい。
【００１１】
前記表示装置であって、前記指示媒体が前記規定領域外に移動した後所定時間経過後、前記倍率調整用インターフェースの操作を不能にすることが好ましい。
【００１２】
前記表示装置であって、前記指示媒体が前記倍率調整用インターフェースの操作をした後、前記倍率調整用インターフェースから外れた場合、前記倍率調整用インターフェースの操作を不能にすることが好ましい。
【００１３】
本発明の表示装置は、画像を表示する表示部と、前記表示部に近接した指示媒体を検知するセンサ部と、前記センサ部で検知された指示媒体が、前記表示部上の所定位置において、所定時間以上、前記表示部から所定距離内において離間した近接状態であるか否かを判定し、前記近接状態であると判定した場合、当該所定位置を前記表示部に対する特定操作の基準位置として決定する基準位置決定部と、前記基準位置の決定時に、前記特定操作に係る所定のインターフェースを前記表示部に表示する表示処理部と、前記基準位置の決定時に、前記基準位置を含んで前記表示部に対して平行方向に定められる所定の範囲内を規定領域として決定する規定領域決定部と、を備え、前記指示媒体が前記規定領域外に移動した場合、前記所定のインターフェースの操作を不能にする。
【００１４】
前記表示装置であって、前記指示媒体が前記規定領域外に移動した後所定時間経過後、前記所定のインターフェースの操作を不能にすることが好ましい。
【００１５】
本発明の携帯端末装置は、前記表示装置を備えることが好ましい。
【００１６】
本発明の表示方法は、表示部に画像を表示するステップと、前記表示部に近接した指示媒体をセンサ部で検知するステップと、前記センサ部で検知された指示媒体が、前記表示部上の所定位置において、所定時間以上、前記表示部から所定距離内において離間した近接状態であるか否かを判定し、前記近接状態であると判定した場合、当該所定位置をズーム表示の基準位置として決定するステップと、前記基準位置の決定時に、倍率調整用インターフェースを前記表示部に表示するステップと、を備える。
【００１７】
本発明の表示プログラムは、表示部に画像を表示する工程と、前記表示部に近接した指示媒体をセンサ部で検知する工程と、前記センサ部で検知された指示媒体が、前記表示部上の所定位置において、所定時間以上、前記表示部から所定距離内において離間した近接状態であるか否かを判定し、前記近接状態であると判定した場合、当該所定位置をズーム表示の基準位置として決定する工程と、前記基準位置の決定時に、倍率調整用インターフェースを前記表示部に表示する工程と、をコンピュータに実行させる。
【００１８】
本発明の表示方法は、表示部に画像を表示するステップと、前記表示部に近接した指示媒体をセンサ部で検知するステップと、前記センサ部で検知された指示媒体が、前記表示部上の所定位置において、所定時間以上、前記表示部から所定距離内において離間した近接状態であるか否かを判定し、前記近接状態であると判定した場合、当該所定位置を前記表示部に対する特定操作の基準位置として決定するステップと、前記基準位置の決定時に、前記特定操作に係る所定のインターフェースを前記表示部に表示するステップと、前記基準位置の決定時に、前記基準位置を含んで前記表示部に対して平行方向に定められる所定の範囲内を規定領域として決定するステップと、を備え、前記指示媒体が前記規定領域外に移動した場合、前記所定のインターフェースの操作を不能にするステップと、を備える。
【００１９】
本発明の表示プログラムは、表示部に画像を表示する工程と、前記表示部に近接した指示媒体をセンサ部で検知する工程と、前記センサ部で検知された指示媒体が、前記表示部上の所定位置において、所定時間以上、前記表示部から所定距離内において離間した近接状態であるか否かを判定し、前記近接状態であると判定した場合、当該所定位置を前記表示部に対する特定操作の基準位置として決定する工程と、前記基準位置の決定時に、前記特定操作に係る所定のインターフェースを前記表示部に表示する工程と、前記基準位置の決定時に、前記基準位置を含んで前記表示部に対して平行方向に定められる所定の範囲内を規定領域として決定する工程と、を備え、前記指示媒体が前記規定領域外に移動した場合、前記所定のインターフェースの操作を不能にする工程と、をコンピュータに実行させる。
【発明の効果】
【００２０】
本発明によれば、ユーザーは、片手で近接操作と接触操作を行うことが可能となり、ユーザーの指定する位置（基準位置）を中心としたズーム表示等が簡単にでき、ズーム表示等の微調整も容易可能である。また、基準位置が固定されることにより、位置特定とズーム表示とを同時に行うことが可能となり、ダブルタップやズームボタン等に於ける一方のみの操作の不便性を解消可能とすることができる。そして、ユーザーは、基準位置から少し離れた位置でインターフェース（倍率調整用インターフェース）の操作を行うため、基準位置が指示媒体に隠れることもなく、視覚的に有利な操作が可能となる。
【図面の簡単な説明】
【００２１】
【図１】本発明に係る表示装置のハードウェア構成の一例を示すブロック図。
【図２】本発明に係る表示部上の操作に於ける第１の実施形態の一例を示し、（ａ）表示部上で指示媒体による近接操作の概念図、（ｂ）表示部に表示されたインターフェースの概念図、（ｃ）指示媒体でインターフェースを操作している概念図。
【図３】本発明の第１の実施形態に於ける近接保持での基準位置を示し、（ａ）基準位置を決める概念図、（ｂ）基準位置近傍に表示されたインターフェースの操作の概念図。
【図４】表示部に表示されるインターフェースの一例の模式図、（ａ）操作ボタン、（ｂ）操作バー、（ｃ）操作矢印、（ｄ）指示ボタン。
【図５】本発明に係る表示部上の操作に於ける第２の実施形態の一例を示す概念図、（ａ）倍率調整用インターフェースとの位置座標間距離の一例、（１）遠距離、（２）近距離、（ｂ）倍率調整用インターフェースとの近接座標間距離の一例、（１）遠距離、（２）近距離。
【図６】本発明に係る表示部上の操作に於ける第３の実施形態の一例を示す概念図、（ａ）規定領域内と指示媒体との位置関係の一例、（１）規定領域内、（２）規定領域外、（ｂ）規定領域から離れた時間の一例、（１）所定時間未満、（２）所定時間以上。
【図７】本発明に係る表示部上の操作に於ける第４の実施形態の一例を示す概念図、（ａ）インターフェース上での操作、（ｂ）インターフェース外での操作。
【図８】倍率調整用インターフェースにおけるレバー操作有効範囲の定義と、指示媒体によるレバー操作有効範囲を越えるようなレバー操作と、レバー操作有効範囲を越えない範囲でのレバー操作を説明する図。
【図９】レバーの移動量に対するズーム倍率の変化を説明する図、（ａ）レバーの移動位置に対するズーム倍率の値をプロットした曲線グラフを示す図、（ｂ）誤って指示媒体をレバーに接触させて矢印方向に移動させた状態を示す図、（ｃ）（ｂ）の操作の後、指示媒体をレバーに接触させて矢印方向に沿って元の位置に戻す状態を示す図。
【図１０】本発明の操作の流れの一例を示すフローチャート図。
【図１１】本発明の第２の実施形態に基づく操作の流れの一例を示すフローチャート図、（ａ）指示媒体とインターフェースとの位置座標間距離との関係、（ｂ）指示媒体とインターフェースとの近接座標間距離の関係。
【図１２】本発明の第３の実施形態に基づく操作の流れの一例を示すフローチャート図、（ａ）規定領域内外の関係を示し、（ｂ）は規定領域から離れた時間の関係。
【発明を実施するための形態】
【００２２】
以下、本発明に係る表示装置の好適な実施形態を、図１〜図１０に基づいて詳述する。
【００２３】
図１は本発明に係る表示装置のハードウェア構成の一例を示すブロック図である。
【００２４】
本発明の表示装置１は、例えば、スマートフォン等の携帯電話、タブレット、携帯測定器等の携帯端末装置、携帯用のノートパソコン、デジタルカメラ、計測器等である。表示装置１は、制御部２と、記憶部３と、表示部４と、表示処理部５と、センサ部６と、座標取得部７と、基準位置決定部８と、規定領域決定部９と、を備えている。
【００２５】
制御部２は、ＣＰＵ、ＲＡＭ、ＲＯＭ等を備えたマイクロプロセッサ構成を有し、ＲＯＭに格納されている制御プログラムにより、表示装置１全体の制御（演算、検索、抽出等を含む）を行うと共に、後述する各種処理機能の実行制御を行う。記憶部３は、ＤＶＤ（Digital Versatile Disc）等の光学記録媒体、ハードディスク、不揮発性メモリを用いた記録媒体からなり、外部記憶媒体を備えていても良い。
【００２６】
表示部４は、液晶パネルや有機ＥＬパネル等で構成され、ユーザーインターフェース（ＵＩ）型の表示パネルを備えている。表示処理部５は、表示部４に表示される各種アプリケーション、画像、等の表示領域の決定、移動、拡大縮小等を制御する。センサ部６は、後述する指やスタイラス等の指示媒体２０の近接（ホバー）操作及び接触（タッチ）操作を、例えば静電容量型、感圧型、赤外線検知型等で検知する。座標取得部７は、センサ部６で検知された指示媒体２０の動き（移動軌跡）に基づいて、表示部４上での指示媒体２０に対応した位置座標と近接座標とを取得する。
【００２７】
基準位置決定部８は、センサ部６で検知された指示媒体２０の表示部４からの距離や表示部４上での位置から座標取得部７で取得された近接座標や位置座標に基づいて、後述する基準位置Ｓを決定する。規定領域決定部９は、基準位置決定部８で決定された基準位置Ｓに基づいて、所定の範囲内を後述する規定領域Ｔとして決定する。
【００２８】
上述の近接（ホバー）操作とは、指示媒体２０を表示部４上に近接させ、表示部４の面上に離間した空間上の位置に於いて、指示媒体２０の移動、保持等の操作を指す。接触（タッチ）操作とは、表示部４の画面上に指示媒体２０を直接接触させ、タッチ、フリック、ピンチ等を行う操作を指す。近接座標とは、表示部４面と指示媒体２０との垂直離間距離に基づいて算出された表示部４上の空間座標である。位置座標とは、指示媒体２０の位置に対応した表示部４の座標である。
【００２９】
図２は、本発明に係る表示部上の操作に於ける第１の実施形態の一例を示し、（ａ）は、表示部上で指示媒体による近接操作の概念図、（ｂ）は、表示部に表示されたインターフェースの概念図、（ｃ）は、指示媒体でインターフェースを操作している概念図である。尚、図中ではインターフェースを省略して「ＵＩ」と記載する。
【００３０】
ユーザーは、指やスタイラス等の指示媒体２０を表示部４上に近接させ、例えば、表示部４に表示された地図上で拡大したい部分で、指示媒体２０を表示部４から離間してその位置を維持する近接保持（ホバーキープ）状態にさせる（図２（ａ）参照）。図中、指示媒体２０の破線は指示媒体２０の影を表し、指示媒体２０が近接操作をしていることを示している。指示媒体２０の近接操作はセンサ部６で検知され、座標取得部７が、表示部４と指示媒体２０の離間距離を示す近接座標と表示部４上の位置座標を取得する。センサ部６での検知信号を受けた表示処理部５は、取得された位置座標を基に、指示媒体２０の近傍に地図上での拡大等が行えるインターフェース３０を表示する（図２（ｂ）参照）。ユーザーはインターフェース３０にタッチ、スライド、フリック等の接触操作（図中星形多角形参照）で地図の拡大や縮小を行うことができる（図２（ｃ）参照）。
【００３１】
図３は、近接保持での基準位置を示し、（ａ）は、基準位置を決める概念図、（ｂ）は、基準位置近傍に表示されたインターフェースの操作の概念図である。
【００３２】
ユーザーは、例えば表示部４に表示された地図で、拡大したい地点を近接保持する。指示媒体２０が表示部４から所定距離内で所定時間以上近接保持していると基準位置決定部８が判定した場合、表示処理部５は基準位置Ｓを表示部４に表示させる（図３（ａ）「×」印参照）。ユーザーが指定した位置に基準位置Ｓが表示された状態で、基準位置Ｓの近傍にインターフェース３０が表示され、ユーザーはインターフェース３０を操作することにより、基準位置Ｓを中心として、例えば地図、画像等の拡大が行われる（図３（ｂ）参照）。なお、基準位置Ｓを表示させることなく、インターフェース３０のみを表示させても良い。また、インターフェース３０の操作は、接触操作が主であるが、近接操作で行っても良い(これら、なお書き以降の事項は、以下のインターフェース３０の操作に係る説明において同じ)。
【００３３】
図４は、表示部に表示されるインターフェースの一例の模式図であり、（ａ）は操作ボタン、（ｂ）は操作バー、（ｃ）は操作矢印、（ｄ）は指示ボタンである。
【００３４】
インターフェース３０とは、各種アイコン、マーク、ボタン、操作バー、指示ボタン、等が表示された操作領域であり、ユーザーの接触操作により、基準位置Ｓを中心とした拡大、縮小等種々の表示の変更が可能である。また、地図、画像等での基準位置Ｓを中心とした拡大、縮小をズーム表示、使用されるインターフェース３０を倍率調整用インターフェース３１と述べる。
【００３５】
図４（ａ）、（ｂ）は、倍率調整用インターフェース３１の一例である。（ａ）は、「−」または「＋」が示されたボタンであり、図面左側の「−」ボタンをタッチすると、地図、画像等が縮小され、図面右側の「＋」ボタンをタッチすると、地図、画像等が拡大される。（ｂ）は、操作バーであり、図４（ａ）のボタンと同様のズーム表示が可能であり、図面左側にレバーＬを動かせば縮小、図面右側にレバーＬを動かせば拡大である。
【００３６】
図４（ｃ）、（ｄ）は、特定操作用のインターフェース３０の一例である。図４（ｃ）に示されるインターフェース３０は、操作矢印であり、例えば地図、画像等の基準位置Ｓからの移動（スクロール）表示が可能である。（ｄ）に示されるインターフェース３０は、所定の文字等が配列された指示ボタンである。複数のアプリケーション用アイコンが表示部４に表示され、ユーザーが所望のアイコン上で近接保持すると、アイコン整理のための基本的な動作、例えば「起動」、「移動」、「削除」等が表示される。
【００３７】
ユーザーは、片手で近接操作と接触操作を行うことが可能となり、ユーザーの指定する位置（基準位置Ｓ）を中心としたズーム表示等が簡単にでき、ズーム表示等の微調整も容易可能である。また、基準位置Ｓが固定されることにより、位置特定とズーム表示とを同時に行うことが可能となり、ダブルタップやズームボタン等に於ける一方のみの操作の不便性を解消可能とすることができる。そして、ユーザーは基準位置Ｓから少し離れた位置でインターフェース３０の操作をするため、基準位置Ｓが指示媒体２０に隠れることもなく、視覚的に有利な操作が可能となる。
【００３８】
図５は、本発明に係る表示部上の操作に於ける第２の実施形態の一例を示す概念図である。（ａ）は倍率調整用インターフェースとの位置座標間距離の一例で、（１）が遠距離、（２）が近距離を示し、（ｂ）は倍率調整用インターフェースとの近接座標間距離の一例で、（１）が遠距離、（２）が近距離を示している。
【００３９】
第２の実施形態は、近接座標と位置座標との関係により、インターフェース３０の表示態様が変更可能となることを示し、倍率調整用インターフェース３１を一例として説明する。
【００４０】
倍率調整用インターフェース３１の位置座標と指示媒体２０から取得される位置座標との距離が、所定の距離以上であると倍率調整用インターフェース３１の表示が薄くなる（図５（ａ）（１）参照）。指示媒体２０を倍率調整用インターフェース３１に近づけていくと、倍率調整用インターフェース３１の表示が濃くなる（図５（ａ）（２）参照）。図中、濃淡は、薄い表示が破線で、濃い表示が実線で表している。また、倍率調整用インターフェース３１と指示媒体２０の位置座標間の距離が、所定距離以内であっても、近接座標距離が所定距離以上である場合、倍率調整用インターフェース３１の表示が薄くなる（（図５（ｂ）（１）参照）。指示媒体２０を倍率調整用インターフェース３１上部から近接させていくと、倍率調整用インターフェース３１の表示が濃くなる（図５（ｂ）（２）参照）。
【００４１】
インターフェース３０の表示態様の変更を、表示の濃淡で説明したが、これに限定されず、透明度、大きさ、表示色、形状、等の変更が可能である。また、表示態様の変更は、連続的でも良く、段階的でも良い。表示態様を変更することにより、ユーザーは、指示媒体２０とインターフェース３０との位置関係が視覚的に理解され、誤操作を抑制することが可能である。
【００４２】
図６は、本発明に係る表示部上の操作に於ける第３の実施形態の一例を示す概念図である。（ａ）は規定領域内と指示媒体との位置関係の一例で、（１）が規定領域内、（２）が規定領域外を示し、（ｂ）は規定領域から離れた時間の一例で、（１）が所定時間未満、（２）が所定時間以上を示す。
【００４３】
第３の実施形態は、規定領域Ｔ（図中破線枠）と指示媒体２０との位置関係でインターフェース３０が表示、非表示することを示し、倍率調整用インターフェース３１を一例として説明する。
【００４４】
規定領域決定部９は、倍率調整用インターフェース３１を取り囲むように所定面積の規定領域Ｔを決定する。規定領域Ｔは、基準位置Ｓからの所定範囲内であっても良い。ユーザーが、最初に決定した基準位置Ｓとは別に他の地図上の地点でのズーム表示を行いたい場合、倍率調整用インターフェース３１が表示されたままでは不都合を生じるため、接触操作の規定領域Ｔを定めている。
【００４５】
指示媒体２０から取得される位置座標が、規定領域Ｔ内である場合、倍率調整用インターフェース３１は表示されている（図６（ａ）（１）参照）。指示媒体２０が移動して、規定領域Ｔ内から外れた場合、倍率調整用インターフェース３１は、例えば非表示となり、操作が不能となる（図６（ａ）（２）参照）。また、指示媒体２０が移動して、規定領域Ｔ内から外れた場合でも、所定時間未満であれば倍率調整用インターフェース３１は表示されている（図６（ｂ）（１）参照）。所定時間を過ぎた場合、倍率調整用インターフェース３１は、例えば非表示となり、操作が不能となる（図６（ｂ）（２）参照）。
【００４６】
尚、規定領域Ｔは表示部４に表示されていても良く、表示されている場合は、図６の（２）では、規定領域Ｔは非表示となっても良い。所定時間を説明したが、特に限定されず、所定距離未満、所定距離以上の判断でも良い。上述の非表示とは、表示部４から完全に削除する意味である。
【００４７】
規定領域Ｔを設けて指示媒体２０の動きに基づく表示や非表示等を行うことにより、ユーザーは表示部４に表示された、例えば地図等の地点を自由に変更し、各近接操作に基づくインターフェース３０の持続的な表示から解放される。また、規定領域Ｔの表示時間を定めることにより、ユーザーが間違って規定領域Ｔ外に移動した場合でも、所定の時間内であればインターフェース３０の接触操作の復帰が可能となる。
【００４８】
図７は、本発明に係る表示部上の操作に於ける第４の実施形態の一例を示す概念図である。（ａ）はインターフェース上での操作、（ｂ）はインターフェース外での操作を示し、倍率調整用インターフェースを一例として説明する。
【００４９】
ユーザーが倍率調整用インターフェース３１を接触操作している（図７（ａ）参照）。ユーザーは、地図上の他の地点を操作するために倍率調整用インターフェース３１から外れた位置に指示媒体２０を移動させると、倍率調整用インターフェース３１は操作不能となる（図７（ｂ）参照）。また、指示媒体２０が、単に倍率調整用インターフェース３１から離れても倍率調整用インターフェース３１は操作不能となっても良い。更に、倍率調整用インターフェース３１からの指示媒体２０の移動が、所定距離以内又は所定時間以内であれば、倍率調整用インターフェース３１の接触操作を継続して行うことができる。
【００５０】
インターフェース３０から指示媒体２０が外れた場合、インターフェース３０を操作不能とすることにより、誤ってインターフェース３０を再度接触しても誤動作にならず、ユーザーは安心して操作を継続することが可能である。また、インターフェース３０からの移動に対して、距離や時間の閾値を決めることにより、インターフェース３０の接触操作の復帰が可能となる。
【００５１】
また一方で、ユーザーが倍率調整用インターフェース３１を接触操作している（図７（ａ）参照）際に、操作継続したいにも係わらず、倍率調整用インターフェース３１から意図せずして離れてしまう場合も考えられる。そのため、ユーザーが倍率調整用インターフェース３１を一定時間、もしくは一定距離、接触操作した後であれば、たとえ倍率調整用インターフェース３１から離れた接触操作であっても、倍率調整用インターフェース３１の継続操作とみなす構成とすることも可能である。
【００５２】
例えば図８に示すように、倍率調整用インターフェース３１のレバーＬの停止位置から所定の範囲（特に限定はされない）をレバー操作有効範囲と定義する。一点鎖線矢印Ａで示すように、指示媒体２０が、倍率調整用インターフェース３１内において、レバー操作有効範囲を越えるようにレバーＬを操作（スライド）した後、倍率調整用インターフェース３１から逸脱したケースを想定する。この場合、ユーザーは倍率調整用インターフェース３１の操作を意図しているとみなし、レバー操作を継続させる。
【００５３】
一方、点線矢印Ｂで示すように、指示媒体２０が、倍率調整用インターフェース３１内において、レバー操作有効範囲を越えない範囲でレバーＬを操作（スライド）した後、倍率調整用インターフェース３１から逸脱したケースを想定する。この場合、ユーザーは倍率調整用インターフェース３１の操作を意図していないとみなし、レバー操作を継続させず、ブラウザ画面の操作等、他の操作に移行することができる。
【００５４】
さらに、ユーザーが倍率調整用インターフェース３１を誤って接触操作し、例えば意図しないズーム操作が行われてしまうことも考えられる。そのため、接触操作した直後においてはズーム倍率の変化量を小さいものとし、接触操作の継続に応じてズーム倍率の変化量を漸次増加させていく構成とすることもできる。なお、このズーム操作中に反対方向のズーム操作が行われた場合(例えば、拡大方向から縮小方向)には、応答特性を良くするために、ズーム倍率を漸次の変化ではなく、一定の変化とする方が望ましい。
【００５５】
図９は上記事項の説明図である。図９（ａ）は、レバーＬの移動位置に対するズーム倍率の値をプロットした曲線グラフが示しており、レバーＬの停止位置の近傍ではズーム倍率の変化量（曲線グラフの傾き）が小さいが、停止位置から離れるにしたがってズーム倍率の変化量は大きくなる。したがって、図９（ｂ）に示すようにユーザーが誤って指示媒体２０をレバーＬに接触させて矢印方向に移動させてしまった場合でも、移動直後はズーム倍率は大きくなりにくいため、意図せぬ操作による悪影響を抑えることができる。また、図９（ｃ）に示すように、図９（ｂ）の操作の後、指示媒体２０をレバーＬに接触させて矢印方向に沿って元の位置に戻す場合（折り返す場合）、ズーム倍率の変化量は一定、すなわちズーム倍率が直線上を変化するように設定する。このような設定により、ズームの反応を向上させることができる。
【００５６】
図１０は、本発明の操作の流れの一例を示すフローチャート図である。
【００５７】
センサ部６は、指示媒体２０が近接操作か接触操作か否かを判定する（ステップＳ１）。座標取得部７は、近接操作であれば近接座標と位置座標を取得し、接触操作であれば位置座標のみを取得する。センサ部６が近接操作であると判定した場合（ステップＳ１が近接操作）、制御部２は、指示媒体２０が近接保持しているか否か判定する（ステップＳ２）。センサ部６が近接保持していないと判定した場合（ステップＳ２がＮｏ）処理を終了する。制御部２が近接保持していると判定した場合（ステップＳ２がＹｅｓ）、基準位置決定部８は、位置座標を基準位置Ｓと決定し、制御部２に通知する（ステップＳ３）。制御部２は、基準位置Ｓの表示実行を表示処理部５に指令し、表示部４に基準位置Ｓが表示される。そして、基準位置Ｓが決定されると同時に、制御部２は、起動ソフトの接触操作に見合う所定のインターフェース３０を選択し、表示処理部５に選択されたインターフェース３０の表示実行を指令する。表示処理部５は、基準位置Ｓの近傍にインターフェース３０を表示部４に表示させる（ステップＳ４）。
【００５８】
規定領域決定部９は、基準位置決定部８で基準位置Ｓが決定される時に、規定領域Ｔを決定する。規定領域Ｔは基準位置Ｓからの所定の範囲内でも良く、インターフェース３０を取り囲む所定の領域であっても良い。近接座標と位置座標とを基に、制御部２は指示媒体２０が規定領域Ｔ内に存在するか否か判定する（ステップＳ５）。規定領域Ｔ内でないと判定した場合（ステップＳ５がＮｏ）、制御部２は、インターフェース３０の操作を不能とし（ステップＳ６）、処理を終了する。また、制御部２が規定領域Ｔ内であると判定した場合（ステップＳ５がＹｅｓ）、表示処理部５は、インターフェース３０の表示態様を変更し（ステップＳ７）、処理を終了する。なお、この表示態様の変更については、後で図１１を用いて説明する。
【００５９】
センサ部６が接触操作であると判定した場合（ステップＳ１が接触操作）、センサ部６は、指示媒体２０がインターフェース３０に接触しているか否か判定する（ステップＳ８）。インターフェース３０に接触していると判定した場合（ステップＳ８がＹｅｓ）、制御部２は、インターフェース３０の操作処理を実行させ（ステップＳ９）、処理を終了する。インターフェース３０に接触していないと判定した場合（ステップＳ８がＮｏ）、表示処理部５は、インターフェース３０を非表示にさせ（ステップＳ１０）、処理を終了する。
【００６０】
図１１は、第２の実施形態（図５）に基づく操作の流れの一例を示すフローチャート図である。（ａ）は指示媒体とインターフェースとの位置座標間距離との関係を示し（図５（ａ）に対応）、（ｂ）は指示媒体とインターフェースとの近接座標間距離の関係を示している（図５（ｂ）に対応）。
【００６１】
座標取得部７は、指示媒体２０の位置座標とインターフェース３０の位置座標とを取得し、制御部２で両者間距離を算出する（ステップＳ２０）。両者間距離に応じて表示処理部５はインターフェース３０の表示態様を決定する（ステップＳ２１）。表示処理部５は、その決定に基づいた表示態様でインターフェース３０を表示部４に表示させ（ステップＳ２２）、処理を終了する。
【００６２】
座標取得部７は、指示媒体２０の近接座標を取得し、制御部２で表示部４の画面上と指示媒体２０との距離を算出する（ステップＳ３０）。算出された距離に応じて表示処理部５はインターフェース３０の表示態様を決定する（ステップＳ３１）。表示処理部５は、その決定に基づいた表示態様でインターフェース３０を表示部４に表示させ（ステップＳ３２）、処理を終了する。
【００６３】
図１２は、第３の実施形態（図６）に基づく操作の流れの一例を示すフローチャート図で、（ａ）は規定領域内外の関係を示し（図６（ａ）に対応）、（ｂ）は規定領域から離れた時間の関係を示している（図６（ｂ）に対応）。
【００６４】
制御部２は、指示媒体２０が規定領域Ｔ外に存在するか否かを判定する（ステップＳ４０）。規定領域Ｔ外と判定した場合（ステップＳ４０がＮｏ）、表示処理部５は、インターフェース３０の操作を不能とするためインターフェース３０を非表示にし（ステップＳ４１）、処理を終了する。また、規定領域Ｔ外ではないと判定した場合（ステップＳ４０がＮｏ）、処理を終了する。
【００６５】
制御部２は、指示媒体２０が規定領域Ｔ外に移動している時間を算出する（ステップＳ５０）。制御部２は、算出された時間が所定の時間以内であるか否かを判定する（ステップＳ５１）。所定時間以内でないと判定した場合（ステップＳ５１がＮｏ）、表示処理部５は、インターフェース３０の操作を不能とするためインターフェース３０を非表示にし（ステップＳ５２）、処理を終了する。また、所定時間以内であると判定した場合（ステップＳ４０がＹｅｓ）、処理を終了する。
【００６６】
尚、本発明は、上述した実施形態に限定されるものではなく、適宜、変形、改良、等が可能である。その他、上述した実施形態における各構成要素の材質、形状、寸法、数値、形態、数、配置箇所、等は本発明を達成できるものであれば任意であり、限定されない。
【産業上の利用可能性】
【００６７】
本発明に係る表示装置、表示方法、及びプログラムは、携帯電話、タブレット、ノートパソコン等の表示部上で近接操作を行い、近接操作の近傍に表示されるインターフェースを接触操作することにより地図、画像等のズーム表示や移動等を行う用途に適用可能である。
【符号の説明】
【００６８】
１：表示装置
２：制御部
３：記憶部
４：表示部
５：表示処理部
６：センサ部
７：座標取得部
８：基準位置決定部
９：規定領域決定部
２０：指示媒体
３０：インターフェース
３１：倍率調整用インターフェース
Ｓ：基準位置
Ｔ：規定領域
【図１】
0005628991.tif 000002
【図２】
0005628991.tif 000003
【図３】
0005628991.tif 000004
【図４】
0005628991.tif 000005
【図５】
0005628991.tif 000006
【図６】
0005628991.tif 000007
【図７】
0005628991.tif 000008
【図８】
0005628991.tif 000009
【図９】
0005628991.tif 000010
【図１０】
0005628991.tif 000011
【図１１】
0005628991.tif 000012
【図１２】
0005628991.tif 000013